(57)【要約】【課題】部品交換等によりメモリが交換される場合に、運転経過状態の引継ぎが確実に行われるようにする。【解決手段】洗浄、すすぎ、乾燥の各工程を逐次制御する動作制御手段２２と、必要に応じて読み出し、書き込みおよび消去が可能なメモリ２３と、運転経過状態を検知し前記メモリへ書き込む状態検知手段２４と、運転経過状態の読み出し、書き込み、消去を可能とするメモリ制御手段２５と、前記メモリに書き込まれた運転経過状態を表示する表示手段７とを備え、前記動作制御手段は、前記メモリ制御手段により前記メモリから運転経過状態が読み出せない場合、使用者が運転開始の操作をおこなっても動作しない構成としたものである。【選択図】図２
2010194018.tif 000002
【特許請求の範囲】
【請求項１】
洗浄、すすぎ、乾燥の各工程を逐次制御する動作制御手段と、必要に応じて読み出し、書き込みおよび消去が可能なメモリと、運転経過状態を検知し前記メモリへ書き込む状態検知手段と、運転経過状態の読み出し、書き込み、消去を可能とするメモリ制御手段と、前記メモリに書き込まれた運転経過状態を表示する表示手段とを備え、前記動作制御手段は、前記メモリ制御手段により前記メモリから運転経過状態が読み出せない場合、使用者が運転開始の操作をおこなっても動作しない構成とした食器洗い機。
【請求項２】
メモリは、状態検知手段により書き込まれた運転経過状態と、メモリ制御手段により書き込まれた運転経過状態を区別して記憶できる構成とした請求項１記載の食器洗い機。
【請求項３】
メモリ制御手段は、基準運転回数、もしくは基準運転時間が設定された推定使用期間をメモリに入力可能に構成した請求項１または２記載の食器洗い機。
【請求項４】
状態検知手段は、所定の運転回数、もしくは所定の運転時間、もしくは給水手段による所定の給水量、もしくは温度検知手段により洗浄槽内が所定の温度に到達した回数、もしくは電源に接続されている時間の少なくともいずれか１つを検知するようにした請求項１〜３のいずれか１項に記載の食器洗い機。
【請求項５】
状態検知手段によりメモリに書き込まれた運転経過状態を表示する工程と、運転経過状態が書き込まれたメモリを取り外す工程と、新しいメモリを取り付ける工程と、表示された運転経過状態を新しいメモリに書き込む工程と、運転開始の操作により運転経過状態が引き継がれたことを確認する工程とをおこなう食器洗い機の点検方法。
【発明の詳細な説明】
【技術分野】
【０００１】
本発明は、食器の洗浄をおこなう食器洗い機およびその点検方法に関するものである。
【背景技術】
【０００２】
一般的に、食器洗い機では、長期間の使用により、ヒータによる加熱、洗剤、被洗浄物から洗い流される油など、温度的、化学的な影響を受けて部品の劣化が進行するため、所定の運転回数や運転時間などにおいて、サービスマンによる点検を行うことが望ましい。
【０００３】
一方では、信頼性や安全性が要求される電気機器では、メモリを用いて、カウントした積算通電時間をメモリへ記憶し、積算通電時間や積算運転回数が所定範囲または所定時間以上になると、自動的に警告や表示を行うことによって、点検時期を使用者へ知らせ、予防的なメンテナンスを促す技術が考えられている（例えば、特許文献１参照）。
【０００４】
また、メモリに累積運転回数や累積運転時間等を記録し、予め設定された回数や時間のいずれかに達すると点検を促す表示をおこなうとともに、使用者が運転開始スイッチを入れても動作を始めないようにすることも考えられている（例えば、特許文献２参照）。
【特許文献１】特開平１−２８８９９０号公報
【特許文献２】特開２００７−２６８１６３号公報
【発明の開示】
【発明が解決しようとする課題】
【０００５】
しかしながら、前記従来の構成では、予め設定された所定の運転回数や運転時間に達する以前に、故障などによる部品交換等により、メモリが交換される場合は、運転回数や運転時間といった運転経過状態を引継ぐ作業が省略されたり、引継ぐ作業を忘れたりすることで、運転経過状態の引き継ぎが確実になされない場合が生じる。この場合、運転回数や運転時間などの運転経過状態がリセットされてしまい、その機器の使用を開始してからの正確な運転経過状態を知ることができなくなり、点検、修理が必要な時期にユーザーへ知らせることができないという問題を有していた。
【０００６】
本発明は、前記従来の課題を解決するもので、運転経過状態を記憶するメモリが故障や修理などによって部品交換された場合でも、それまでの運転経過状態を新しいメモリへ確実に引き継ぐことで、点検、修理などが必要な時期を正確にユーザーへ知らせることができるようにすることを目的としている。
【課題を解決するための手段】
【０００７】
前記従来の課題を解決するために、本発明の食器洗い機は、洗浄、すすぎ、乾燥の各工程を逐次制御する動作制御手段と、必要に応じて読み出し、書き込みおよび消去が可能なメモリと、運転経過状態を検知し前記メモリへ書き込む状態検知手段と、運転経過状態の読み出し、書き込み、消去を可能とするメモリ制御手段と、前記メモリに書き込まれた運転経過状態を表示する表示手段とを備え、前記動作制御手段は、前記メモリ制御手段により前記メモリから運転経過状態が読み出せない場合、使用者が運転開始の操作をおこなっても動作しない構成としたものである。
【０００８】
これにより、故障や修理などでメモリが交換される際は、使用を開始してから現在に到るまでの運転経過状態が引き継がれるため、点検、修理が必要な時期をユーザーへ的確に知らせることができる。
【発明の効果】
【０００９】
本発明の食器洗い機は、故障や修理などでメモリを交換した場合でも、点検、修理が必要な時期をユーザーへ的確に知らせることができる。
【発明を実施するための最良の形態】
【００１０】
第１の発明は、洗浄、すすぎ、乾燥の各工程を逐次制御する動作制御手段と、必要に応じて読み出し、書き込みおよび消去が可能なメモリと、運転経過状態を検知し前記メモリへ書き込む状態検知手段と、運転経過状態の読み出し、書き込み、消去を可能とするメモリ制御手段と、前記メモリに書き込まれた運転経過状態を表示する表示手段とを備え、前記動作制御手段は、前記メモリ制御手段により前記メモリから運転経過状態が読み出せない場合、使用者が運転開始の操作をおこなっても動作しない構成としたことにより、運転開始の操作により運転経過状態が引き継がれたことが確認され、故障や修理などでメモリが交換された際は、使用を開始してから現在に到るまでの運転経過状態が確実に引き継がれるため、点検、修理が必要な時期をユーザーへ的確に知らせることができる。
【００１１】
第２の発明は、特に、第１の発明のメモリは、状態検知手段により書き込まれた運転経過状態と、メモリ制御手段により書き込まれた運転経過状態を区別して記憶できる構成としたことにより、メモリまたはその他の部品を交換して以後の、運転経過状態が確認できるため、部品の耐久性や寿命といったフィールドデータを容易に収集することができる。
【００１２】
第３の発明は、特に、第１または第２の発明のメモリ制御手段は、基準運転回数、もしくは基準運転時間が設定された推定使用期間をメモリに入力可能に構成したことにより、サービスマンによる点検時の運転経過状態の読み取り誤りや、入力時の誤操作を判別し、入力の確認を促すことができる。
【００１３】
第４の発明は、特に、第１〜第３のいずれか１つの発明の状態検知手段は、所定の運転回数、もしくは所定の運転時間、もしくは給水手段による所定の給水量、もしくは温度検知手段により洗浄槽内が所定の温度に到達した回数、もしくは電源に接続されている時間の少なくともいずれか１つを検知するようにしたことにより、使用を開始してから所定の状態以上に使用したことを的確かつ容易に判定することができる。
【００１４】
第５の発明は、状態検知手段によりメモリに書き込まれた運転経過状態を表示する工程と、運転経過状態が書き込まれたメモリを取り外す工程と、新しいメモリを取り付ける工程と、表示された運転経過状態を新しいメモリに書き込む工程と、運転開始の操作により運転経過状態が引き継がれたことを確認する工程とをおこなう食器洗い機の点検方法としたことにより、故障や修理などの点検作業を的確におこなうことができ、使用を開始してからの運転経過状態を引き継いで、使用を継続することができる。
【００１５】
以下、本発明の実施の形態について、図面を参照しながら説明する。なお、この実施の形態によって本発明が限定されるものではない。
【００１６】
（実施の形態１）
図１は、本発明の実施の形態１における食器洗い機の断面図である。図２は、制御手段のブロック構成図、図３は、動作を示すフローチャートである。図１〜３に示すように、システムキッチンに収容された筐体１は、上方に開口部２を有し食器類３を収容し洗浄する洗浄槽４を設けている。洗浄槽４は、給水手段５を介して水道配管と接続されており、運転時に洗浄槽４内に水を供給するようにしている。筐体１の前面には、電源のオン／オフ、運転コースの選択などを行う操作部６、および操作部６で設定された各状態の表示を行う表示部７を配設している。
【００１７】
洗浄槽４は、筐体１の両側面内側に略水平方向に架設されたレール８に沿って前後方向に引き出し自在になっており、洗浄槽４とレール８とをネジ等により固定しており、固定を解除することで洗浄槽４を筐体１から引き出して、取り外し可能に構成している。洗浄槽４の内部には食器類３を収容する食器かご９を配置し、食器かご９の下方には洗浄ノズル１０を回転自在に設けており、洗浄槽４内部に洗浄水を加熱するヒータ等の加熱手段１１と、洗浄槽４の底部に排水口１２を設けている。
【００１８】
洗浄槽４の底部の外側には、洗浄槽４内の温度を検知するサーミスタ等で構成された温度検知手段１３と、前記排水口１２に溜まる洗浄水を前記洗浄ノズル１０に送るモータ１４を具備した洗浄ポンプ１５を配置し、排水口１２に溜まる洗浄水を洗浄ポンプ１５によって循環させ、洗浄ノズル１０より噴射して食器類３を洗浄するよう構成している。
【００１９】
また、筐体１の上方に開口部２を閉塞するための蓋体１６を配置し、前後一対のリンクを含む左右一対の平行リンク機構１７により上下動自在に支持されるとともに、洗浄槽４の開口部２をシールする弾性体のシール部材１８がその周縁部に固定され、洗浄槽４を引き出したとき、シール部材１８が洗浄槽４の前後の移動に干渉しないよう上方へ変位する構成としている。
【００２０】
また、洗浄槽４内の空気を排出する排気口（図示せず）と、洗浄槽４内に外気を供給する送風手段２０を備えており、乾燥工程時に洗浄槽４内の湿った空気を排気口を通して洗浄槽４外に排出する構成としている。
【００２１】
食器洗い機の全体の動作は制御手段２１によっておこなわれ、洗浄、すすぎ、乾燥の各工程を逐次制御するとともに、図２に詳細を示すように、加熱手段１１と洗浄ポンプ１５のモータ１４を前記各工程で制御する動作制御手段２２と、読み出し、書き込みおよび消去が可能なメモリ２３と、運転毎に運転経過状態を検知しメモリ２３へ書き込む状態検知手段２４と、運転経過状態の読み出し、書き込み、消去を可能とするメモリ制御手段２５とを構成している。前記の運転経過状態とは、使用を開始してからの運転回数、もしくは運転時間、もしくは温度検知手段１３により洗浄槽４内が所定の温度に到達した回数等で、少なくともいずれか一つとして設定している。
【００２２】
メモリ制御手段２５は、操作部６により所定の操作をすることで、メモリ２３に記憶した運転経過状態を読み出し、表示部７に表示できるように構成している。また、操作部６で所定の操作をすることにより、メモリ２３へ運転経過状態を書き込むことを可能としている。
【００２３】
メモリ２３は、毎回の通常の運転で状態検知手段２４により書き込まれた運転経過状態（運転経過状態Ａ）と、操作部６で所定の操作をすることにより書き込まれた運転経過状態（運転経過状態Ｂ）とをそれぞれ別々に区別して記憶する構成とし、さらに、運転経過状態Ａと運転経過状態Ｂを足し合わせた運転経過状態Ｃの３種類の運転経過状態を記憶できる構成としている。
【００２４】
また、操作部６で所定の操作を行うことで、メモリ制御手段２５を動作し、運転経過状態Ａと運転経過状態Ｂ、運転経過状態Ｃの３種類の運転経過状態を、それぞれ切り替えて表示部７へ表示できる構成としている。
【００２５】
メモリ２３を上記のように構成することで、サービスマンが制御手段２１を交換する以前の運転経過状態と、以後の運転経過状態の両方を知ることが可能となるため、部品の耐久性や寿命といったフィールドデータを容易に収集することが可能となる。
【００２６】
また、操作部６による所定の操作により、メモリを消去することを可能としておくことで、運転経過状態を書き込む際に、誤った書き込みを実施してしまった場合に、やり直しが可能となる。
【００２７】
次に、図３のフローチャートを用いて制御手段２１の詳細な構成、動作を説明する。ユーザーが操作部６を操作し、運転をスタートすると、まず、メモリ２３を確認し、運転経過状態Ａが存在するかを確認する（図３、２６）。工場出荷時の未使用状態で考えると、運転経過状態Ａは存在しないため、次に、運転経過状態Ｂを確認する（図３、２７）。ここで、製品状態で出荷された制御手段２１にはあらかじめ製造段階で運転経過状態Ｂに所定の値を入力しておく。つまり、運転経過状態Ｂは存在すると判断される。
【００２８】
次に、運転経過状態Ｃが所定の値Ｘ以下であるかを確認する（図３、２８）。ここで、所定値Ｘとは、長期使用により、サービスマンによる点検が必要となる運転回数、もしくは運転時間、もしくは前記温度検知手段により前記洗浄槽４内が所定の温度に到達した回数の少なくともいずれか一つとして設定されている。所定値Ｘ以下、つまり、まだ点検が不要であれば、洗い、すすぎ、乾燥の各工程を運転し、運転経過状態Ａへ回数または時間を加算し、運転を終了する（図３、２９、３０）。
【００２９】
使用開始初回の運転では、運転経過状態Ａが存在しないため、運転経過状態Ｂを確認する工程２７を動作するが、一度、運転を行うと、運転経過状態Ａに回数または時間が加算されるため、次回からは、運転経過状態Ｂの確認は行わない。
【００３０】
また、長期使用により、工程２８で運転経過状態Ｃが所定値Ｘ以上となった場合には、長期使用により点検が必要と判断し、ユーザーへ警告や表示により点検時期を知らせるモード（点検報知モード３１）へと移行する。
【００３１】
メモリ２３に運転経過状態が存在しない場合には動作制御手段２１は、音声やＬＥＤ等による表示によりユーザーやサービスマンに異常を報知するメモリ異常モードを動作し、通常の運転動作は実行しない。
【００３２】
次に、故障や修理などで、制御手段２１を交換する場合を説明する。なお、修理、交換用の制御手段２１は、配設されるメモリ２３の運転経過状態Ａおよび運転経過状態Ｂは何も記憶されていないものを使用する。
【００３３】
まず、交換前にサービスマンが操作部６にて所定の操作を行い、運転経過状態Ｃを表示部７に表示させ、運転回数または運転時間としてメモをとる。次に、新しい制御手段２１を本体に取り付ける作業を行う。そして、操作部６により所定の操作により、メモリ制御手段２５を動作し、さきほどメモをとった運転回数または運転時間をメモリ２３へ書き込む作業を行う。その後、運転確認を行い、洗い、すすぎといった通常の運転が動作するかを確認する。このように正規の作業を行った場合、運転経過状態Ｂ確認工程２７で運転経過状態Ｂが存在すると判断されるため、以後、通常に動作可能となる。
【００３４】
一方、この書き込み作業を省略したり、忘れたりすると、運転経過状態Ｂは存在しないままとなり、前述の運転経過状態Ｂ確認工程２７で運転経過状態Ｂが存在しないと判断するため、作業後の運転確認時に音声や、表示部７により警告を行うメモリ異常モード３２を動作し、運転経過状態の引継ぎがなされていないことをサービスマンへ知らせることになる。
【００３５】
つまり、故障や修理などで制御手段２１が交換される場合には、運転経過状態の引継ぎを確実に行わないと、以後使用不可能となるため、必然的に、運転経過状態の引継ぎがさ
れることになる。これにより、運転経過状態を引継ぐ作業が省略されたり、引継ぐ作業を忘れて使用が継続されるのを防止することができる。
【００３６】
（実施の形態２）
図４は、本発明の実施の形態２の食器洗い機の動作を示すフローチャートである。本実施の形態は、サービスマンが所定の操作を行い、運転経過状態を読み取る際に、運転回数または運転時間を誤って読み取り、間違いに気付かずに、取り替えた制御手段２１に実際の状態と異なる値を入力してしまう場合や、正確に読み取りは行ったが入力操作を誤り、実際の状態と異なる値を入力してしまうといった、点検時のサービスマンによる誤操作を防止するものである。
【００３７】
使用機器の製造番号や製造年月などの情報が記載されたシール（図示せず）を筺体１に貼り付けた構成とし、サービスマンは、運転回数または運転時間に加え、前記のシールから製造年月を読み取り、製造年月からの経過年月を推定使用期間として算出し、メモをとる。取り替えた制御手段２１に所定の作業により、メモをとった運転回数または運転時間に加えて、推定使用期間をメモリ２３へ書き込む作業を行う。その後、運転確認を行い、洗い、すすぎといった通常の運転が動作するかを確認する。他の構成は、実施の形態１と同じであり、その構成の詳細は、実施の形態１のものを援用する。
【００３８】
本実施の形態の動作は図４に示す通りである。まず、運転経過状態Ａ、Ｂを確認し（図４、２６、２７）、その後、推定使用期間が入力されているかを確認する（図４、３３）。入力されていなければメモリ異常モードへ移行し（図４、３２）、サービスマンへ入力を求める。推定使用期間が入力されている場合は、表１に示す推定使用期間に対する基準運転回数に運転経過状態Ｂが達しているかを確認する。表１は、運転経過状態を運転回数とし、基準運転回数は３００回／年として設定した一例である。
【００３９】
【表１】
2010194018.tif 000003
【００４０】
入力した運転経過状態Ｂが基準運転回数に達していれば、入力された運転経過状態は正常と判断し、そのまま以降の動作を行い、達していない場合には、音声やＬＥＤ等による表示によりサービスマンに再確認を促す再確認報知モードへ移行する（図４、３６）。ここで、製造から使用されるまでの期間が長い場合には、正確に運転回数や運転時間を入力しても基準使用回数に達しない場合があるため、再確認報知モードは初回のみに動作するように構成している。
【００４１】
すなわち、図４に示すように、運転経過状態Ａに運転回数または運転時間を加算（図４、３５）してから再確認報知モードへ移行するため、再確認報知モードは初回にしか動作しない。したがって、運転経過状態Ａの存在が確認されると、図４、２８へ進む。
【００４２】
以上のように、本実施の形態によれば、サービスマンへ入力の誤りを報知し、再確認を促すことで、誤った入力をされることはない。
【００４３】
なお、本実施の形態では、操作部６で所定の操作を行い、表示部７を読み取ることで運転経過状態の読み出し、書き込みを行っているが、制御手段２１にメモリ２３と外部機器とを接続可能なコネクタを配設しておき、サービスマンが所定の外部機器を接続し、メモリ２３の情報を読み出し、書き込みをすれば、より多くの情報の引継ぎが容易に可能となると同時に、制御手段２１が故障し、電源が入らない場合にも対応することができる。
【００４４】
また、メモリ２３を制御手段２１に対して脱着可能に構成することで、運転経過状態等のすべての情報を簡易に引き継ぐことができ、サービスマンによる作業をより簡便にすることができる。
【産業上の利用可能性】
【００４５】
以上のように、本発明にかかる食器洗い機は、故障や修理などでメモリを交換した場合でも、点検、修理が必要な時期をユーザーへ的確に知らせることができるので、ビルトイン型の電気機器として有用である。
【図面の簡単な説明】
【００４６】
【図１】本発明の実施の形態１の食器洗い機の断面図
【図２】同食器洗い機の制御手段のブロック構成図
【図３】同食器洗い機の動作を示すフローチャート
【図４】本発明の実施の形態２の食器洗い機の動作を示すフローチャート
【符号の説明】
【００４７】
７  表示手段
２１  制御手段
２２  動作制御手段
２３  メモリ
２４  状態検知手段
２５  メモリ制御手段
【図１】
2010194018.tif 000004
【図２】
2010194018.tif 000005
【図３】
2010194018.tif 000006
【図４】
2010194018.tif 000007